(57)【特許請求の範囲】
【請求項１】
男性器に宛がわれて使用される男性用尿吸収パッドであって、
前側部が液不透過性を有し後側部が液吸収性を有する前側吸収体と、
前側部が液吸収性を有し後側部が液不透過性を有するとともに、前記前側吸収体の後側において該前側吸収体の下縁部よりも上方に位置する下縁部を開放させた状態で該前側吸収体に固着される中間吸収体と、
前側部が液吸収性を有し後側部が液不透過性を有するとともに陰茎及び陰嚢を挿通させる貫通孔を有し、該中間吸収体の後側において前記中間吸収体の下縁部に重なる状態で、該中間吸収体の下縁部を開放させたまま下縁部が前記前側吸収体に固着され、且つ左右の縁部が該中間吸収体に固着される後側吸収体とを備え、
前記前側吸収体は、前記貫通孔より下方において前記後側吸収体に袋状に固着されるものであり、陰茎及び陰嚢を前記貫通孔に挿通させた状態において前記中間吸収体は陰茎に接し前記後側吸収体は陰嚢に接するものであって、
前記後側吸収体は、該後側吸収体の上側部分を形成するとともに観音開き状に開閉可能であって、開いた際に該貫通孔の上方を開口させる左上側部分及び右上側部分とを備え、
前記左上側部分及び右上側部分は、該左上側部分及び右上側部分の何れか一方が他方に重なる状態で相互を固着させるとともに該左上側部分及び右上側部分の重なり量を変えることによって前記貫通孔のサイズが調整される固着手段を備える男性用尿吸収パッド。
【請求項２】
前記左上側部分及び右上側部分は、少なくともそれらの一部が伸縮性を有する請求項１に記載の男性用尿吸収パッド。
【請求項３】
男性器に宛がった状態で前記男性用尿吸収パッドを身体に固定させるベルトを備え、
前記ベルトは、一端部が該男性用尿吸収パッドに固着され、左脚後側を通って他端部が該男性用尿吸収パッドに固着される左側ベルトと、一端部が該男性用尿吸収パッドに固着され、右脚後側を通って他端部が該男性用尿吸収パッドに固着される右側ベルトとを含む請求項１又は２に記載の男性用尿吸収パッド。
【発明の詳細な説明】
【技術分野】
【０００１】
本発明は、男性器に宛がわれて使用される男性用尿吸収パッドに関する。
【背景技術】
【０００２】
従来、介護現場などで男性使用者に対して用いられる尿吸収パッドにあっては、男性器から排泄される尿を吸収するのに好適な、男性用の尿吸収パッドが使用されている。例えば特許文献１や特許文献２には、おむつや下着などの内側で使用されるものであって、シート状をなす男性用尿吸収パッドが示されている。このような男性用尿吸収パッドは、それの中央部に陰茎を宛がうとともに左右の端部を内側に折り曲げるようにして陰茎に巻付け、更におむつや下着などを装着して使用される。
【先行技術文献】
【特許文献】
【０００３】
【特許文献１】特開２００１−１２９０１２号公報
【特許文献２】特開２００６−２１２４５２号公報
【発明の概要】
【発明が解決しようとする課題】
【０００４】
このような従来の男性用尿吸収パッドにあっては、形状が比較的単純であるという利点があるものの、使用する際には陰茎に巻付けることが必要であるため、装着に手間がかかっていた。しかも、巻付け加減によっては装着した位置から簡単にずれて尿漏れが生じてしまうため、より慎重に装着作業を行う必要があった。このため、このような男性用尿吸収パッドを使用することは介護現場において大きな負担になっており、そのような負担の解消が強く求められていた。
【０００５】
本発明は、このような問題点を解決することを課題とするものであり、簡単に装着することができ、また装着した後は位置ずれが生じないために尿漏れすることもない、新規の男性用尿吸収パッドを提供することを目的とする。
【課題を解決するための手段】
【０００６】
本発明は、男性器に宛がわれて使用される男性用尿吸収パッドであって、
前側部が液不透過性を有し後側部が液吸収性を有する前側吸収体と、
前側部が液吸収性を有し後側部が液不透過性を有するとともに、前記前側吸収体の後側において該前側吸収体の下縁部よりも上方に位置する下縁部を開放させた状態で該前側吸収体に固着される中間吸収体と、
前側部が液吸収性を有し後側部が液不透過性を有するとともに陰茎及び陰嚢を挿通させる貫通孔を有し、該中間吸収体の後側において前記中間吸収体の下縁部に重なる状態で、該中間吸収体の下縁部を開放させたまま下縁部が前記前側吸収体に固着され、且つ左右の縁部が該中間吸収体に固着される後側吸収体とを備え、
前記前側吸収体は、前記貫通孔より下方において前記後側吸収体に袋状に固着されるものであり、陰茎及び陰嚢を前記貫通孔に挿通させた状態において前記中間吸収体は陰茎に接し前記後側吸収体は陰嚢に接するものであって、
前記後側吸収体は、該後側吸収体の上側部分を形成するとともに観音開き状に開閉可能であって、開いた際に該貫通孔の上方を開口させる左上側部分及び右上側部分とを備え、
前記左上側部分及び右上側部分は、該左上側部分及び右上側部分の何れか一方が他方に重なる状態で相互を固着させるとともに該左上側部分及び右上側部分の重なり量を変えることによって前記貫通孔のサイズが調整される固着手段を備える男性用尿吸収パッドである。
【０００７】
また本発明にあっては、前記左上側部分及び右上側部分は、少なくともそれらの一部が伸縮性を有することが好ましい。
【０００８】
また本発明にあっては、男性器に宛がった状態で前記男性用尿吸収パッドを身体に固定させるベルトを備え、
前記ベルトは、一端部が該男性用尿吸収パッドに固着され、左脚後側を通って他端部が該男性用尿吸収パッドに固着される左側ベルトと、一端部が該男性用尿吸収パッドに固着され、右脚後側を通って他端部が該男性用尿吸収パッドに固着される右側ベルトとを含むことが好ましい。
【発明の効果】
【０００９】
本発明の男性用尿吸収パッドは、後側吸収体に設けた貫通孔から陰茎及び陰嚢を挿通させることによって、これらを前側吸収体、中間吸収体、及び後側吸収体の間で包み込むことができる。すなわち、排泄された尿はこれらの吸収体で全方向に亘って吸収されるため、長時間に亘って尿漏れを防止することができる。また、後側吸収体の左上側部分と右上側部分を開くことによって貫通孔の上方を開口させることができ、陰茎及び陰嚢を楽に出し入れすることができるため、男性用尿吸収パッドの取り付けや取り外しを簡単に行うことができる。更に、左上側部分と右上側部分の重なり量を変えることによって貫通孔のサイズを調整することができるため、汎用性にも優れている。加えて、陰茎だけでなく陰嚢も貫通孔から挿通させていて、装着後は不用意に外れることがないため、尿漏れを確実に防止することができる。
【００１０】
左上側部分及び右上側部分に対し、少なくともそれらの一部に伸縮性を持たせる場合は、装着後に使用者が動いても、左上側部分及び右上側部分はその動きに追従するため、固着手段の外れをより効果的に防止することができる。また、左上側部分及び右上側部分が伸びるため、男性器と貫通孔との間に隙間が生じることがなく、尿漏れをより確実に防止することができる。
【００１１】
本吸収パッドに左側ベルトと右側ベルトとを含むベルトを設ける場合は、おむつ等を用いなくても本吸収パッドが外れることがないので、例えば本吸収パッドを装着した状態で運動することが可能である。また、車椅子を運転する場合にも使用することができる。
【図面の簡単な説明】
【００１２】
【図１】本発明に従う男性用尿吸収パッドの一実施形態を示す図であって、（ａ）は正面図であり、（ｂ）は断面図であり、（ｃ）は裏面図である。
【図２】図１に示す男性用尿吸収パッドにおいて、左上側部分及び右上側部分を開いた状態で示す図である。
【図３】図１に示す男性用尿吸収パッドを使用者に装着した状態を示す図であって、（ａ）は正面図、（ｂ）は断面図である。
【図４】男性用尿吸収パッドを装着した後に、おむつを装着する状態を示す図である。
【図５】本発明に従う男性用尿吸収パッドの他の実施形態を示す図であって、（ａ）は正面図であり、（ｂ）は（ａ）に示す男性用尿吸収パッドを使用者に装着した状態を示す正面図である。
【発明を実施するための形態】
【００１３】
以下、図面を参照して、本発明である男性用尿吸収パッドの一実施形態について説明する。なお、本明細書、特許請求の範囲、要約書において「前」「後」「左」「右」とは、男性用尿吸収パッドを装着する使用者から見た向きである。また「上」とは使用者の頭側であり、「下」とは使用者の脚側である。
【００１４】
図１において、符号１は本発明である男性用尿吸収パッドの一実施形態である。男性用尿吸収パッド１は、男性器に宛がわれて使用されるものであり、前側吸収体２と、中間吸収体３と、後側吸収体４とから構成されている。
【００１５】
前側吸収体２は、前側部が液不透過性を有し、後側部が液吸収性を有している。本実施形態では、液不透過性を有する第一シート２ａと、液吸収性を有する第二シート２ｂとで構成されている。第一シート２ａは、例えば疎水性繊維（ポリプロピレン、ポリエチレン、ポリエステル、ポリアミド、ナイロン等）を用いた撥水性の不織布により形成されている。また第二シート２ｂは、例えば親水性繊維（セルロース、レーヨン、コットン等）を用いた液透過性の不織布を後面側に有するとともに、この不織布と第一シート２ａとの間に、親水性繊維の不織布を透過した排尿を吸収保持する吸収体を備えるものである。ここで吸収体としては、例えばパルプ繊維や不織布を基本とし、必要に応じて高吸収性ポリマーを混合した積層体を用いることができる。なお、図１（ｂ）に示す例では第二シート２ｂの縁部は外部に露出しているが、吸収した排尿が漏れ出さないようにするための種々の技術（例えば第一シート２ａで第二シート２ｂの縁部を巻き込む等）が適用可能である。
【００１６】
なお、本実施形態の前側吸収体２は、上下方向の長さが２００〜２５０ｍｍ、左右方向の長さが１５０〜２００ｍｍ程度であり、その形状は、図１（ａ）に示すように下側が先細りとなる五角形状である。但し、この大きさや形状に限定されるものではなく、使用者の体型や使用する時間等に応じて適宜変更することができる。
【００１７】
中間吸収体３は、前側部が液吸収性を有し、後側部が液不透過性を有している。本実施形態では、液吸収性を有する第三シート３ａと、液不透過性を有する第四シート３ｂとで構成されている。第三シート３ａは、第二シート２ｂと同一の材料であっても類似の材料であってもよく、また第四シート３ｂは、第一シート２ａと同一の材料であっても類似の材料であってもよい。
【００１８】
そして本実施形態の中間吸収体３は、上下方向の長さが前側吸収体２の２／３程度であり、左右方向の長さはそれと同程度であって、上縁部と左右の縁部が、接着剤などを用いて前側吸収体２の後側部に固着されている。一方、中間吸収体３の下縁部は、開放した状態のままとなっている。ここで中間吸収体３の下縁部には、左右方向の中央部分において、伸縮性を有するひだ状の伸縮部３ｃが設けられている（図１（ｃ）参照）。なお伸縮部３ｃは、中間吸収体３の下縁部全域に亘って設けてもよい。
【００１９】
後側吸収体４は、前側部が液吸収性を有し、後側部が液不透過性を有している。本実施形態では、液吸収性を有する第五シート４ａと、液不透過性を有する第六シート４ｂとで構成されている。第五シート４ａは、先に述べた第二シート２ｂや第三シート３ａと同一の材料であっても類似の材料であってもよく、また第六シート４ｂも同様に、第一シート２ａや第四シート３ｂと同一の材料であっても類似の材料であってもよい。
【００２０】
また後側吸収体４は、男性用尿吸収パッド１を装着した際に陰茎及び陰嚢を挿通させる貫通孔４ｃを備えている。本実施形態の貫通孔４ｃは、図１（ｃ）に示すように下部が半円状であって、上部は孔の幅が上方に向けて狭くなる先細り状になっている。
【００２１】
更に後側吸収体４は、それの上側部分を形成する左上側部分４ｄと右上側部分４ｅを備えている。図２に示すように左上側部分４ｄと右上側部分４ｅは、観音開き状に開閉可能であって、開いた際には貫通孔４ｃの上方が開口するようにしている。また左上側部分４ｄの後側部と右上側部分４ｅの前側部には、それら同士を重ねた状態で相互に固着させる固着手段４ｆが設けられている（図１（ｂ）参照）。固着手段４ｆとしては、一方側がフック状に起毛され、他方側がループ状に起毛された面ファスナーや、一方が平滑面で他方が貼着面である再剥離性シールなど、種々のものを用いることができる。なお固着手段４ｆは、左右方向に長めに設けられていて、左上側部分４ｄと右上側部分４ｅとの重なり量を任意に変更することができ、これによって貫通孔４ｃのサイズを調整することができる。なお、固着手段４ｆの左右方向の長さは、サイズの調整量を確保しつつもコストを最小限に抑える為に、左上側部分４ｄと右上側部分４ｅとが重なった際に前側に位置するもの（本実施形態では左上側部分４ｄに設けた固着手段４ｆ）に対して、後側に位置するもの（本実施形態では右上側部分４ｅに設けた固着手段４ｆ）を短くするが好ましい。更に左上側部分４ｄと右上側部分４ｅには、図１（ｃ）に示すように、伸縮性を有するひだ状の伸縮部４ｇが設けられている。
【００２２】
後側吸収体４は、上下方向の長さが前側吸収体２よりも若干短く、左右方向の長さはそれと同程度であって、下縁部から左右の縁部に亘って、前側吸収体２の後側部及び中間吸収体３の後側部に固着されている。なお、左上側部分４ｄと右上側部分４ｅの上縁部は開放した状態のままとなっているため、上述したように左上側部分４ｄと右上側部分４ｅとを観音開き状に開閉させることができる。
【００２３】
このような形態になる男性用尿吸収パッド１を使用するにあたっては、まず、左上側部分４ｄと右上側部分４ｅを観音開き状に開いて貫通孔４ｃの上方を開口させた状態にする。そして、この開口を通して陰茎及び陰嚢を貫通孔４ｃに挿通させ、貫通孔４ｃがこれらに合うサイズになる位置で、左上側部分４ｄと右上側部分４ｅとを固着手段４ｆによって固着させる。その後は、図４に示すように、おむつ５の前部分５ａで男性用尿吸収パッド１を押さえつつ、後部分５ｂの左右を前側に回し込むようにして、前部分５ａと後部分５ｂとを固着させる。なお、男性用尿吸収パッド１に併用して用いられるおむつは、図示したものに限定されるものではなく、種々のタイプのものを用いることが可能である。
【００２４】
ここで、男性用尿吸収パッド１を装着した状態においては、図３（ｂ）に示すように中間吸収体３の下縁部が陰茎に当たるため、中間吸収体３の下縁部と陰茎とを隙間なく密着させることができる。また陰茎及び陰嚢は、前側吸収体２、中間吸収体３、及び後側吸収体４で包み込まれることになり、排尿は前側吸収体２、中間吸収体３、及び後側吸収体４で全方向に亘って吸収されるため、長時間に亘って漏れを防止することができる。更に貫通孔４ｃから陰茎だけでなく陰嚢も挿通させているため、男性用尿吸収パッド１を装着した後は不用意に外れてしまうことがない。このため、漏れを確実に防止することができる。更に、排尿は男性用尿吸収パッド１により吸収することができるため、排便を収容するおむつ５とは区別して処理することができるという利点もある。
【００２５】
また本実施形態においては、左上側部分４ｄと右上側部分４ｅに伸縮部４ｇを設けているので、装着後に使用者が動いても、左上側部分４ｄと右上側部分４ｅはその動きに追従する。これにより、固着手段４ｆの外れをより効果的に防止することができる。また、左上側部分４ｄと右上側部分４ｅは伸縮部４ｇによって伸びるため、使用者の動きによって陰茎及び陰嚢と貫通孔４ｃとの間に隙間が生じることがなく、漏れをより確実に防止することができる。
【００２６】
更に、中間吸収体３の下縁部にも伸縮部３ｃを設けており、中間吸収体３を陰茎に対してより確実に密着させることができるので、漏れの防止がより確実なものになる。
【００２７】
次に、本発明に従う男性用尿吸収パッドの他の実施形態について、図５を参照しながら説明する。図５に示す男性用尿吸収パッド６は、図１〜図４に示す男性用尿吸収パッド１に対し、身体に固定させるためのベルト７を設けたものである。
【００２８】
本実施形態のベルト７は、左側ベルト７ａと右側ベルト７ｂの２つで構成されるものである。左側ベルト７ａ及び右側ベルト７ｂは、図５（ａ）に示すように、それぞれの一端部が男性用尿吸収パッド６の下側に固着されるものである。また、それぞれの他端部は、固着手段４ｆの如き仕組み（上述した面ファスナーや再剥離性シールなど）によって男性用尿吸収パッド６の前側部に着脱可能に固着することが可能である。また左側ベルト７ａ及び右側ベルト７ｂには、ひだ状の伸縮部７ｃが設けられている。
【００２９】
このような形態になる男性用尿吸収パッド６を使用するには、まず男性用尿吸収パッド１と同様にして装着する。そして、図５（ｂ）に示すように、使用者の左脚後側を通るようにして左側ベルト７ａを左脚に巻付け、その他端部を男性用尿吸収パッド６の前側部に固着させる。また右側ベルト７ｂは、使用者の右脚後側を通るようにして右脚に巻付けるとともに、その他端部を男性用尿吸収パッド６の前側部に固着させる。これにより、おむつ５などを使用せずとも男性用尿吸収パッド６を使用者の身体に固定させることができる。このため、男性用尿吸収パッド６を装着した状態で運動したり、車椅子の運転をしたりすることが可能になる。
【００３０】
本発明に従う男性用尿吸収パッドは、上述した実施形態に限定されるものではなく、特許請求の範囲に従う範囲で種々の変更が可能である。例えば上述した伸縮部３ｃ、伸縮部４ｇを省略して用いる事も可能である。また、本発明に従う男性用尿吸収パッドに対し、尿吸収パッドに係わる各種の要素を適宜変更、追加して用いることも可能である。
【符号の説明】
【００３１】
１：男性用尿吸収パッド（第一実施形態）
２：前側吸収体
２ａ：第一シート
２ｂ：第二シート
３：中間吸収体
３ａ：第三シート
３ｂ：第四シート
３ｃ：伸縮部
４：後側吸収体
４ａ：第五シート
４ｂ：第六シート
４ｃ：貫通孔
４ｄ：左上側部分
４ｅ：右上側部分
４ｆ：固着手段
４ｇ：伸縮部
５：おむつ
５ａ：おむつの前部分
５ｂ：おむつの後部分
６：男性用尿吸収パッド（第二実施形態）
７：ベルト
７ａ：左側ベルト
７ｂ：右側ベルト
７ｃ：伸縮部
【要約】
【課題】簡単に装着することができ、また装着した後は位置ずれが生じないために尿漏れすることもない、新規の男性用尿吸収パッドを提供する。
【解決手段】本発明の男性用尿吸収パッド１は、前側吸収体２と、下縁部を開放させた状態で前側吸収体２に固着される中間吸収体３と、中間吸収体３の下縁部に重なる状態で前側吸収体２及び中間吸収体３に固着される後側吸収体４とを備え、後側吸収体４は、陰茎及び陰嚢を挿通させる貫通孔４ｃと、観音開き状に開閉可能であって、開いた際に貫通孔４ｃの上方を開口させる左上側部分４ｄ及び右上側部分４ｅとを備え、左上側部分４ｄ及び右上側部分４ｅは、それらの何れか一方が他方に重なる状態で相互を固着させるとともにそれらの重なり量を変えることによって貫通孔４ｃのサイズが調整される固着手段４ｆを備えることを特徴とする。
【選択図】図１【図１】
0005906346.tif 000002
【図２】
0005906346.tif 000003
【図３】
0005906346.tif 000004
【図４】
0005906346.tif 000005
【図５】
0005906346.tif 000006